(57)【要約】      （修正有）【課題】熱交換器の容積を大きくし、性能を向上させることには限界がある。暖房時の快適性についても、床面への空気吐出量を増加させることも限界である。また、近年インテリアにマッチする空気取り入れ口が見えない、意匠性に優れたシンプルなフラットな化粧パネルの意匠の床置き形空気調和機を提供するにも限界があった。そこで性能向上，快適性向上，前面の化粧パネル意匠を向上させた空気調和機を提供する。【解決手段】送風用貫流ファン２を室内機の中心より下側で、且つ吐出口の位置を床面から１００mmよりも上側で、且つ送風用貫流ファン２よりも下方に吐出口を設け、少なくとも化粧パネル５の吐出口の近くには吸込み口がなく、冷房時に上下風向ルーバー１１ａ、１１ｂを上向きにする床置き形空気調和機。【選択図】図１
2009074705.tif 000002
【特許請求の範囲】
【請求項１】
前面より化粧パネル，フィルタ，化粧枠，吐出口に配置される上下風向ルーバー，送風用貫流ファン，貫流ファンに連接された駆動用モータ，貫流ファンを囲むように配設された熱交換器，熱交換器用受け皿，駆動モータ等を制御する電気品類と一体成型されたキャビネットを有する床置き形空気調和機の室内機において、
送風用貫流ファンを室内機の中心より下側で、且つ吐出口の位置を床面から１００mmよりも上側で、且つ送風用貫流ファンよりも下方に吐出口を設け、少なくとも化粧パネルの吐出口の近くには吸込み口がなく、冷房時に上下風向ルーバーを上向きにすることを特徴とした床置き形空気調和機。
【請求項２】
請求項１において、
多段曲げ熱交換器を配置した床置き形空気調和機。
【請求項３】
請求項１において、
熱交換器下端を、送風用貫流ファンの下端位置よりも下方に吐出口を設けた床置き形空気調和機。
【請求項４】
請求項１において、
熱交換器下端を、送風用貫流ファンの中心位置よりも上側に配置した床置き形空気調和機。
【発明の詳細な説明】
【技術分野】
【０００１】
本発明は、冷房と暖房時の快適性を向上させた床置き形空気調和機の構造に関する。
【背景技術】
【０００２】
従来の空気調和機は化粧パネル前面より空気を取り入れ、熱交換された空気を上方及び下方に吹き出す通風形態であった。
【０００３】
【特許文献１】特開２００５−１０６４１７号公報
【特許文献２】実開昭５５−１６２０２４号公報
【特許文献３】実開昭５８−９８５２１号公報
【特許文献４】公開技報８５−９２１７号公報
【発明の開示】
【発明が解決しようとする課題】
【０００４】
しかしながら、この技術によれば、室内熱交換器の容積を大きくし、性能を向上させることには、限界がある。また、暖房時の快適性についても、床面への空気吐出量を増加させることも、限界である。また、近年インテリアにマッチする空気取り入れ口が見えない、意匠性に優れたシンプルでフラットな化粧パネルの意匠の床置き形空気調和機を提供するには限界があった。
【０００５】
本発明の目的は、性能向上，快適性向上，前面の化粧パネル意匠の向上を行うことにある。
【課題を解決するための手段】
【０００６】
上記目的を達成するために、本発明では、空気取り入れ口を前面以外に設置し、送風用貫流ファンを室内機の中心より下側で、且つ吐出口の位置を床面から１００mmよりも上側で、且つ送風用貫流ファンよりも下方に吐出口を設け、少なくとも化粧パネルの吐出口の近くには吸込み口がなく、冷房時に上下風向ルーバーを上向きにすることにより達成できる。
【０００７】
即ち、吐出された直後の空気が吸込み口に入るショートサーキットを防止できる。これによって、冷房時には、上下風向ルーバーを床面に対して４５度以上上向きにし、暖房時には、上下風向ルーバーを床面に向けて、且つ遠くまで、暖気が届くようになる。
【発明の効果】
【０００８】
室内吐出口を室内機より下に配置し、少なくとも化粧パネルの吐出口の近くには吸込み口、即ち、空気取り入れ口を設けないようにし、冷房時のショートサーキットを防止する、吹出し空気の床面との摩擦抵抗を低減できるなどにより、性能の向上，暖房時の快適性向上，フラットな化粧パネルの採用ができるなどの効果がある。
【発明を実施するための最良の形態】
【０００９】
以下、本発明の一実施例を図１〜図４により説明する。
【００１０】
図１は一実施例の全体構造を示す側面断面図である。
【００１１】
この実施の形態ではキャビネットの上面に配された空気吸込みグリル６、前面に設けられた取り外し可能な化粧パネル５、この化粧パネル後方で且つ熱交換器の前方に配設されたフィルタ９ａ、上面と背面の空気吸込みグリルに対応するように設けられており、且つ、一体に成形されたフィルタ９ｂ、前記化粧パネルを取り付ける化粧枠４、送風用貫流ファン２、前記吸込みグリルを上面および背面に配設され、このおのおのの空気吸込みグリルに対応して配設された熱交換器３、熱交換器用受け皿１０と背面側の熱交換器用受け皿と一体成型されたキャビネット１により構成される。
【００１２】
上記の構成において、図４の従来の床置き形空気調和機は、上側と下側の２カ所から空気を吐出していたが、図１〜図３に示すような実施例の構成では、送風用貫流ファン２の位置を室内機の中心より下側で、且つ、吐出口の位置を床面より１００mm以上、上側で、且つ送風用貫流ファンの中心よりも下方に吐出口を１カ所配置する。これによって、暖房時の快適性において、上下風向ルーバー１１ａを床面に向けて、且つ、遠くまで、暖気が届くようになる。吐出口の位置が床面に近すぎると、床面が抵抗になり、暖気が途中で、上に上がってしまうため、床面より１００mm以上、上に吐出口を配設して、床面での摩擦抵抗を低減する。また、冷房時には、上下風向ルーバーである横はね１１ａの角度を床面に対して４５度以上、上向きにして、冷気を上側に行く様にする。横はね１１ａの角度が４５度未満であると、冷気が直接、人に当たる不具合が発生し易くなる。また、冷房時には、冷気が吐出口から直接、吸込み口に入ることを防止するため、少なくとも化粧パネル５の吐出口の近くには吸込み口の無いものにして、吐出される空気が吸込み口に入るショートサーキットを防止する構造ができる。また、近年インテリアにマッチする空気取り入れ口が見えない、意匠性に優れたシンプルなフラットな化粧パネル５の意匠を提供できる。また、上記の構成にすることにより、多段曲げ熱交換器の設置が可能になる。すなわち、送風用貫流ファン２の位置を室内機の中心より下側で、且つ、吐出口の位置を床面より１００mm以上、上側に１カ所配置する。これによって、熱交換器３の容積を大きくし、性能を向上させることができる。
【００１３】
図３に示すように、熱交換器３下端を送風用貫流ファン２の中心位置よりも上側に配置することにより、熱交換器３と送風用貫流ファン２の中心で重なる部分が、無くなるため、室内機の奥行き寸法を薄くできる。これにより、さらに意匠的な部分を良くできる。
【００１４】
以上より、送風用貫流ファン２の位置を室内機の中心より下側で、且つ、吐出口の位置を床面より１００mm以上、上側に１カ所配置し、熱交換器３を多段曲げにし、化粧パネル５をフラットにして、冷房時のショートサーキットを防止するなどを行うことにより、性能の向上，暖房時の快適性向上，フラットな化粧パネル５の採用できるなどの効果がある。
【図面の簡単な説明】
【００１５】
【図１】本発明の実施例の全体構造を示す側面断面図。
【図２】本発明の実施例の正面斜視図。
【図３】本発明の一実施例の全体構造を示す側面断面図。
【図４】従来技術における空気調和機の構造図。
【符号の説明】
【００１６】
１  キャビネット
２  送風用貫流ファン
３，１３  熱交換器
４  化粧枠
５，１２  化粧パネル
６  上面空気吸込みグリル
６ａ，６ｂ  上面空気吸込みグリル用可動パネル
７  可動パネル用モータ
８  背面上部空気吸込みグリル
９ａ，９ｂ  フィルタ
１０  熱交換器用受け皿
１１ａ，１１ｂ  横はね
１４ａ，１４ｂ  貫流ファン
【図１】
2009074705.tif 000003
【図２】
2009074705.tif 000004
【図３】
2009074705.tif 000005
【図４】
2009074705.tif 000006